(57)【要約】【課題】袋本体の表裏両面及び側面を印刷面として有効に活用することができると共に、表面からの見栄えを良くし、商品価値の向上を図った吸収性物品包装袋を提供すること。【解決手段】袋本体の表裏両面及び側面に印刷面を有し、平坦に折り畳んだ吸収性物品を複数枚整列、段積みして収納する吸収性物品包装袋において、前記印刷面の形成時に生じる縦長の印刷余白部を前記袋本体の側面に位置するように、前記印刷余白部を中心として前記袋本体の両側部を内側に折り込んで形成する。【選択図】        図２
2004224429.tif 000002
【特許請求の範囲】
【請求項１】
袋本体の表裏両面及び側面に印刷面を有し、平坦に折り畳んだ吸収性物品を複数枚整列、段積みして収納する吸収性物品包装袋において、前記印刷面の形成時に生じる縦長の印刷余白部を前記袋本体の側面に位置するように、前記印刷余白部を中心として前記袋本体の両側部を内側に折り込んで成ることを特徴とする吸収性物品包装袋。
【発明の詳細な説明】
【０００１】
【発明の属する技術分野】
本発明は、袋本体の表裏両面及び側面に印刷面を有し、平坦に折り畳んだ吸収性物品を複数枚整列、段積みして収納する吸収性物品包装袋に関し、さらに詳細には、袋本体の表裏両面及び側面を印刷面として有効に活用することができ、また、表面からの見栄えを良くして商品価値の向上を図った吸収性物品包装袋に関する。
【０００２】
【従来の技術】
通常、使い捨て紙おむつ、吸収パッド、あるいは生理用ナプキン等の吸収性物品は、包装工程において、平坦に折り畳まれた複数枚が整列、段積みされて包装袋に収納され、そして梱包されて工場から市場に出荷される。
【０００３】
図３は、上述した包装工程の一例を示したもので、吸収性物品である幼児用の使い捨て紙おむつ１２０が袋詰めされるまでの工程をＳ１〜Ｓ５から成る５工程で示したものである。
【０００４】
工程Ｓ１では、ポリエチレン等から成るプラスチックフィルムを二重にし、側端部を閉鎖してチューブ状とした製袋材（以下「ポリチューブ」という）１００がロール１０１から繰り出される。
【０００５】
工程Ｓ２では、平坦に繰り出されたポリチューブ１００の表裏両面に、例えばデザイン１０２、文字１０３、下地等１０４等が印刷手段により印刷され、斜線で示すような印刷面１０５が形成される。このとき、ポリチューブ１００の長手方向両側部には、見当合わせ等の目的で印刷のされない部分、すなわち印刷余白部１０６、１０７が形成される。この余白部１０６、１０７の幅寸法は、例えば袋の大きさ、あるいは印刷内容等により異なるが、通常１０ｍｍ程度に設定されている。なお、図３ではポリチューブ１００の表面側の印刷面１０５のみが示されているが、裏面側にも同様に印刷面が形成されている。
【０００６】
工程Ｓ３では、平坦状態にあるポリチューブ１００が開口手段により先端部より逐次楕円状に開口される。
【０００７】
工程Ｓ４では、開口されたポリチューブ１００の両側部が余白部１０６、１０７を折込み支点とし折込手段により内側に折り込まれる。図４（Ａ）（Ｂ）はこの状態を模式的に示した正面図で、（Ａ）は工程Ｓ３の場合のポリチューブ１００を、（Ｂ）は工程Ｓ４の場合のポリチューブ１００を進行方向正面から見たものである。すなわち、工程Ｓ３から工程Ｓ４に移るとき、ポリチューブ１００の余白部１０６側では、図４（Ａ）に矢印で示すように、余白部１０６と同一の位置にある部位１０６Ｐ１、及び、これから所定距離だけ裏面側に離れた位置にある部位１０６Ｐ３がポリチューブ１００の長手方向に渡って外側に引き出される。同時に、部位１０６Ｐ１と部位１０６Ｐ３との中間位置にある部位１０６Ｐ２がポリチューブ１００の長手方向に渡って内側に引き込まれる。一方、余白部１０７側では、余白部１０７と同一の位置にある部位１０７Ｐ１、及び、これから所定距離だけ表面側に離れた位置にある部位１０７Ｐ３が前記同様にポリチューブ１００の長手方向に渡って外側に引き出され、そしてこの中間位置にある部位１０７Ｐ２がポリチューブ１００の長手方向に渡って内側に引き込まれる。この結果、図４（Ｂ）に示すように、ポリチューブ１００は部位１０６Ｐ２、１０７Ｐ２が両側から内側に折り込まれ、部位１０６Ｐ１（余白部１０６）と部位１０７Ｐ１（余白部１０７）とが対角線上に配置される。このとき、部位１０６Ｐ１〜１０６Ｐ３及び部位１０７Ｐ１〜１０７Ｐ３によって後述する袋本体１０９の側面が形成される。
【０００８】
工程Ｓ５では、ポリチューブ１００が切断手段により把手１０８と共に所定の形状に切断され、袋本体１０９が形成される。このとき袋本体１０９の先端側（後述する包装体１２１の底部）の開口部より紙おむつ１２０が袋本体１０９の内部に装着される。この紙おむつ１２０は、折り畳まれ（例えば３つ折りされ）て平坦にされたもので、複数枚（例えば２４枚）が整列され、段（例えば３段）積みされて袋本体１０９内に収納され、その後ポリチューブ１００の前記開口部がシールされて包装体１２１が完成される。
【０００９】
図５はこの包装体１２１を斜め前方から見た斜視図である。この包装体１２１は店頭において表面側の印刷面１０５を顧客側に向けて陳列される。
【００１０】
【発明が解決しようとする課題】
しかしながら、従来のこのような吸収性物品収納袋においては、図５に示されるように、印刷時に形成される縦長の余白部１０６、１０７が夫々包装体１２１の表面側及び裏面側の端部に現れるため、次のような欠点があった。
（イ）余白部１０６、１０７が存在する分だけ印刷面積が少なくなり、印刷すべき文字数や絵柄等の印刷スペースが制約される。
（ロ）余白部１０６、１０７があるために、表面側から側面側に渡る一連の文字や絵柄等の印刷が途中でカットされてしまって施すことができない。
（ハ）余白部１０６、１０７を顧客側に向けて包装体１２１が陳列されるので、見栄えが悪くなり、商品価値が低下する。
【００１１】
本発明は上述したような事情によりなされたもので、その目的とするところは、袋本体の表裏両面及び側面を印刷面として有効に活用することができると共に、表面からの見栄えを良くし、商品価値の向上を図った吸収性物品包装袋を提供することにある。
【００１２】
【課題を解決するための手段】
本発明の上記目的は、袋本体の表裏両面及び側面に印刷面を有し、平坦に折り畳んだ吸収性物品を複数枚整列、段積みして収納する吸収性物品包装袋において、前記印刷面の形成時に生じる縦長の印刷余白部を前記袋本体の側面に位置するように、前記印刷余白部を中心として前記袋本体の両側部を内側に折り込んで成ることを特徴とする吸収性物品包装袋を提供することによって達成される。
【００１３】
以下、本発明の内容を、前記同様、吸収性物品が使い捨ての紙おむつである場合を例に詳述する。
【００１４】
図１（Ａ）（Ｂ）は、本発明の一実施形態である吸収性物品、すなわち紙おむつを包装袋に収納する包装工程の一部を示したもので、さらに詳細には、図３に基づき説明した従来の包装工程における工程Ｓ３及び工程Ｓ４を、図４に対応させて示したものである。なお、本実施形態は、この工程Ｓ３及び工程Ｓ４の構成が一部異なる以外、その他の構成は前述した従来のものと実質的に同一であるので、以下は前述したものと同一の構成要素には対応する２桁の番号及び符号を付して説明する。
【００１５】
本実施形態では、前工程、すなわち工程Ｓ１〜Ｓ３において前記同様に表裏両面の所定箇所に印刷面１５が形成され、先端部が楕円状に開口されたポリチューブ１０が工程Ｓ４に移送されると、ポリチューブ１０の両側部が余白部１６、１７を内側にして折込手段により内側に折り込まれる。図１（Ａ）（Ｂ）はこの状態を模式的に示した正面図で、（Ａ）は工程Ｓ３におけるポリチューブ１０を、（Ｂ）は工程Ｓ４におけるポリチューブ１０を進行方向正面から見たものである。すなわち、工程Ｓ３から工程Ｓ４に移るとき、ポリチューブ１０の余白部１６側では、図１（Ａ）に矢印で示すように、余白部１６と同一の位置にある部位１６Ｐ１が内側に引き込まれ、同時に、部位１６Ｐ１から所定距離だけ表面側に離れた位置にある部位１６Ｐ２及び裏面側に離れた位置にある部位１６Ｐ３とがポリチューブ１０の長手方向に渡って外側に引き出される。この結果、図１（Ｂ）に示すように、ポリチューブ１０は部位１６Ｐ１、１７Ｐ１が両側から内側に折り込まれ、部位１６Ｐ１（余白部１６）と部位１７Ｐ１（余白部１７）とが対面して配置される。このようにして本実施形態における紙おむつ２０を収納するための袋本体１９（図示せず）が形成される。この袋本体１９が工程Ｓ５に移送されると、前記同様にして所定量の紙おむつ２０（図示せず）が袋本体１９内部に収納され、開口部がシールされて包装体２１が完成される。
【００１６】
図２は、このようにして完成された紙おむつ２０の包装体２１を斜め前方から見た斜視図である。図示されるように、包装体２１の表面側には、デザイン１２、文字１３、下地等１４等が印刷手段により印刷され、斜線で示すような印刷面１５が形成されている。包装体２１は把手１６を持つことにより携行され、店頭では表面側を顧客側に向けて陳列される。なお、包装体２１の裏面側にも同様にして印刷面（図示せず）が形成されている。
【００１７】
本実施形態では、以上にようにして袋本体１９が作られ、包装体２１が形成されるので、縦長の余白部１６が袋本体１９の側部、すなわち包装体２１の両側面の中心位置に配置される。したがって、本紙おむつ包装袋によれば、印刷面が余白部１６によって中断されることがないので、例えば図２に示すように、一連の絵柄や模様を施したデザイン１２を袋本体１９の表裏の全面から側面に渡って印刷することができる。また、目障りな縦長の余白部１６が包装体２１の側面に配置されて表面には現れないので、見栄えがよくなり、これにより商品価値が向上される。
【００１８】
以上、本発明の内容を紙おむつを収納する包装袋を例に説明したが、本発明は必ずしもこのような袋に限定されるものではなく、この外、吸収パッド、あるいは生理用ナプキン等の吸収性物品の包装袋であってもよいことはいうまでもなく、さらには、衣料や食料品等の一般商品の包装袋にも適用が可能である。
【００１９】
【発明の効果】
以上に詳述したように、本発明は、袋本体の表裏両面及び側面に印刷面を有し、平坦に折り畳んだ吸収性物品を複数枚整列、段積みして収納する吸収性物品包装袋において、前記印刷面の形成時に生じる縦長の印刷余白部を前記袋本体の側面に位置するように、前記印刷余白部を中心として前記袋本体の両側部を内側に折り込んで形成して成る吸収性物品包装袋であって、余白部が袋の表面及び裏面のいずれにも現れないので、次のような効果が得られる。
（イ）印刷スペースが増大されるので、袋本体の表裏両面及び側面を印刷面として有効に活用できる。
（ロ）表面側から側面側に渡る一連の文字や絵柄等の印刷ができる。
（ハ）表面からの見栄えがよくなり、商品価値が向上される。
【図面の簡単な説明】
【図１】本発明の一実施形態における包装袋の形成工程の説明図で、（Ａ）は開口工程を、（Ｂ）は折り込み工程を進行方向前方から見たものである。
【図２】本発明の一実施形態における上記工程を経て完成された包装体の斜視図である。
【図３】本発明に係る従来の包装工程の一例を示す図である。
【図４】上記従来の包装工程における包装袋の形成工程の説明図である。
【図５】上記従来の包装工程を経て完成された包装体の斜視図である。
【符号の説明】
１０，１００                    ポリチューブ
１２，１０２                    デザイン
１３，１０３                    文字
１４，１０４                    下地
１５，１０５                    印刷面
１６，１７，１０６，１０７      余白部
１８，１０８                    把手
１９，１０９                    袋本体
２０，１２０                    紙おむつ
２１，１２１                    包装体
【図１】
2004224429.tif 000003
【図２】
2004224429.tif 000004
【図３】
2004224429.tif 000005
【図４】
2004224429.tif 000006
【図５】
2004224429.tif 000007